(57)【要約】【課題】空調用ファンブラシレスモータ等は高効率化が要望させており、特にＰＷＭ駆動方式が採用されている中、出力軸支承部の高周波電食（波状磨耗現象）が発生する場合があり、その対策が必要とされている。【解決手段】内輪１５１ａと、この内輪１５１ａの外周部に配置される転動体１５１ｂと、この転動体１５１ｂを内輪１５１ａと狭持する外輪１５１ｃと、転動体１５１ｂの側部を覆い内輪１５１ａ及び外輪１５１ｂに接して配置されるシール板１５１ｄとを備え、シール板１５１ｄの少なくとも一部分に導電性摺動部１５１ｅを有する構成である。導電性摺動部はシール板１５１ｄの少なくとも一部分に設けられた複数の導電性細線材１５１ｅからなるものである。導電性細線材の一方端はシール板１５１ｄに接続され、この導電性細線材１５１ｅの他端が内輪１５１ａ又は外輪１５１ｃに接触する構成である。【選択図】図１
2010035407.tif 000002
【特許請求の範囲】
【請求項１】
電動機において、この電動機の出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有する電動機。
【請求項２】
ブラシレスモータにおいて、このブラシレスモータの出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータ。
【請求項３】
制御回路部を具備するブラシレスモータにおいて、このブラシレスモータの出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータ。
【請求項４】
ブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータ。
【請求項５】
制御回路部を具備するブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータ。
【請求項６】
請求項４又は請求項５に記載のブラシレスモータにおいて、導電性摺動部がシール板の少なくとも一部分に設けられた複数の導電性細線材からなるブラシレスモータ。
【請求項７】
請求項６記載のブラシレスモータにおいて、導電性細線材の一方端がシール板に接続され、この導電性細線材の他端が内輪又は外輪に接触する構成を具備するブラシレスモータ。
【請求項８】
請求項６記載のブラシレスモータにおいて、導電性細線材の一方端がシール板に接続され、この導電性細線材の他端が内輪及び外輪に接触する構成を具備するブラシレスモータ。
【請求項９】
請求項２から請求項８のいずれかに記載のブラシレスモータにおいて、固定子鉄心とブラケットとを電気的に導通させる構成を有するブラシレスモータ。
【請求項１０】
請求項２から請求項８のいずれかに記載のブラシレスモータにおいて、回転子の外周面と出力軸との間に誘電体層を有するブラシレスモータ。
【請求項１１】
ブラシレスモータの出力軸支承部において、このブラシレスモータの出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータの出力軸支承部。
【請求項１２】
電動機の出力軸支承部において、この電動機の出力軸を支承する出力軸支承部が、内輪と、この内輪の外周部に配置される転動体と、この転動体を前記内輪と狭持する外輪と、
前記転動体の側部を覆い前記内輪及び前記外輪に接して配置されるシール板とを備え、
前記シール板の少なくとも一部分に導電性摺動部を有する電動機の出力軸支承部。
【請求項１３】
ブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、このブラシレスモータを通電し、駆動させたときに、
前記内輪と前記外輪との間に電位差が生じるブラシレスモータであり、この電位差を短絡させる導電性摺動部を前記シール板の少なくとも一部分に有するブラシレスモータ。
【請求項１４】
制御回路部を具備するブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、このブラシレスモータを通電し、駆動させたときに、前記内輪と前記外輪との間に電位差が生じるブラシレスモータであり、この電位差を短絡する導電性摺動部を前記シール板の少なくとも一部分に有するブラシレスモータ。
【請求項１５】
請求項２から請求項１０、請求項１３、又は請求項１４のいずれかに記載のブラシレスモータにおいて、固定子鉄心とブラケットとを電気的に導通させる構成を有するブラシレスモータ。
【請求項１６】
請求項２から請求項１０、請求項１３、又は請求項１４のいずれかに記載のブラシレスモータにおいて、ＰＷＭインバータ駆動方式にて駆動させる構成のブラシレスモータ。
【請求項１７】
請求項２から請求項１０、請求項１３、又は請求項１４のいずれかに記載のブラシレスモータを搭載する電気機器。
【発明の詳細な説明】
【技術分野】
【０００１】
本発明は、電気機器、例えば空調機器に搭載され、送風ファンを駆動するための電動機及びブラシレスモータに関する。
【背景技術】
【０００２】
例えば、エアコンに搭載され、送風ファンを駆動するためのファンモータは、近年、エアコン本体の省エネルギー化に伴い、高効率化が要望されている。そのファンモータは、インダクションモータに代わって、高効率のブラシレスモータが採用される場合が多くなってきている。そして、そのブラシレスモータの駆動方式として、パルス幅変調（Ｐｕｌｓｅ  Ｗｉｄｔｈ  Ｍｏｄｕｌａｔｉｏｎ）方式（以下、ＰＷＭ方式という）のインバータにより駆動する場合が多くなってきている。
【０００３】
こうしたＰＷＭ方式の駆動の採用において、モータシャフトを支承するための出力軸支承部の高周波電食（以下、単に、電食という）が進行した場合、波状磨耗現象が発生して異常音に至ることがある。
【０００４】
従来のこの種のブラシレスモータには、例えば特許文献１に記載されているモータ構造がある。従来のこの種のブラシレスモータについて、図３から図４を用いて説明する。図３は従来のブラシレスモータの構造断面図であり、図４は図３に示すブラシレスモータの浮遊容量略分布のモデル図である。
【０００５】
図３において、固定子巻線１２が巻装された固定子鉄心１１を、絶縁樹脂１３にてモールド成形をすることで固定子が構成されている。その固定子の内側には空隙を介して回転子１４が挿入されている。その回転子１４のシャフト１６には２つの出力軸支承部１５が取り付けられている。その２つの出力軸支承部１５はそれぞれ、固定子の絶縁樹脂１３とブラケット１７とに支持されている。回転子１４は、シャフト１６が２つの出力軸支承部１５に支承され回転することが可能である。
【０００６】
さらに、このブラシレスモータには駆動回路を実装したプリント配線板１８が内蔵されており、更にブラケット１７を固定子に圧入することにより、ブラシレスモータが形成されている。
【先行技術文献】
【特許文献】
【０００７】
【特許文献１】特開２００４―２４２４１３号公報
【発明の概要】
【発明が解決しようとする課題】
【０００８】
しかしながら、従来のこの種のモータの構造においては、固定子を絶縁樹脂にて樹脂成型したことにより、図４のように各構成部材間に浮遊容量Ｃ１からＣ７などが存在している。このような従来のモータの固定子巻線１２をＰＷＭ方式のインバータにより駆動した場合、浮遊容量Ｃ１からＣ７などを通じてスルー電流が流れる。その結果、各構成部材間に電位差が発生し、ある条件においては電食が発生することがあった。
【０００９】
特に電食が発生しやすい条件として、モータ印加電圧が高い地域（例えば商用電源２４０Ｖ地域等）で、比較的低温時、かつモータとして回転数変動が少ない状態で長時間運転した場合に起こることが知られている。電食が発生するメカニズムの一例は、つぎのとおりである。
【００１０】
固定子巻線１２をＰＷＭ方式のインバータにより駆動した場合、各構成部材間の浮遊容量Ｃ１からＣ７を通じて、固定子鉄心１１から固定子巻線１２、プリント配線板１８、ブラケット１７、出力軸支承部１５、シャフト１６、回転子１４、そして固定子鉄心１１に戻るというループ状の高周波の循環電流が発生する。
【００１１】
その時に、出力軸支承部１５内部で潤滑剤であるグリスの油膜が切れたり、又は油膜厚が薄くなったりすると、それに伴い局所的な絶縁破壊による放電現象が発生して出力軸支承部１５の転送面に微小の放電痕が形成され、それが長時間継続することで電食に至ることがある。なお、この放電現象の有無は、浮遊容量Ｃ１からＣ７で分圧されたときのＣ３又はＣ６、すなわちそれぞれの出力軸支承部１５にかかる電圧の大きさに密接に関係している。ここで、図中のＶｄｃは、プリント配線板１８に印加される電圧である。
【００１２】
そして、この電食現象が繰り返されることにより、出力軸支承部１５の転動体の表面が荒れ、波状磨耗に至ると最終的にモータの異常音に発生につながる。これを確実に対策する方法の一例として、出力軸支承部の内輪と外輪の間に非導電物質であるセラミックボールを使用した出力軸支承部を使用する方法が挙げられる。
【００１３】
しかし、このセラミックボールの出力軸支承部は非常に高価であり、まだ大量生産での使用には至っていない。
【００１４】
また、その他の方法としては、出力軸支承部のグリスを導電性のものとしたり、固定子鉄心を接地したり、ＰＷＭ駆動のキャリア周波数を下げたりといった方法がある。
【００１５】
しかし、いずれの方法も信頼性やコスト、品質、使い勝手の面で必ずしも満足できるものではなく、採用には至っていないのが実情である。以上のように、電食の対策は、出力軸支承部のコストアップやモータの材料費アップ、使い勝手の低下を伴うものである。
【００１６】
また、固定子を絶縁樹脂にて覆うように樹脂成型したために図３に示すブラシレスモータの浮遊容量略分布のモデル図の等価回路の形態となっていることが、電食を発生させているとの認識から、古典的構成の電動機（ブラシレスモータ）の等価回路と同様な等価回路にとなるように電気的接続経路を付加する手段も多々提案されている。ここで言う古典的構成の電動機（ブラシレスモータ）とは、固定子を絶縁樹脂にて覆わず、固定子を金属製の筐体（モータハウジング）などで覆い、ブラケット等の他の部分の構成要素も金属材料から構成される電動機のことである。
【００１７】
古典的構成の電動機（ブラシレスモータ）の等価回路と同様な等価回路は、例えば、固定子鉄心とブラケットとを電気的に接続にする構成や、一対のブラケットを有する場合はブラケット同士を電気的に接続にする構成や、さらには、一対のブラケット及び固定子を全て電気的に接続にする構成などである。いずれの構成も、構成部材のほとんどが金属材料から構成される古典的構成の電動機（ブラシレスモータ）の等価回路と擬似的に等しくするという課題認識から提案された構成である。
【００１８】
上記の等価回路と擬似的に等しくするという方法での電食の発生の抑制であるが、かなりの効果が認められ、良好な結果であるが、より高品質な電動機を求める観点では、未だ課題が解決されたとは言いがたいものである。
【００１９】
なお、古典的構成の電動機（ブラシレスモータ）であれば、電食が皆無であるかというと、そうでも無く、発電所等の発電機や、電気鉄道車両の動力用電動機などの高出力なものや、高湿度の環境に配置される電動機などで出力軸支承部に電食が発生していたことは、広く知られるところである。また、この電食を発生させる出力軸と、出力軸以外の構成要素との電位差を、軸電圧又は軸電流と呼称することも古くから良く知られるところである。
【課題を解決するための手段】
【００２０】
上記従来の課題を解決するために、第１の発明は、電動機において、この電動機の出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有する電動機である。
【００２１】
また、第２の発明は、ブラシレスモータにおいて、このブラシレスモータの出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータである。
【００２２】
また、第３の発明は、制御回路部を具備するブラシレスモータにおいて、このブラシレスモータの出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータである。
【００２３】
また、第４の発明は、ブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータである。
【００２４】
また、第５の発明は、制御回路部を具備するブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータである。
【００２５】
また、第６の発明は、上記第４の発明又は第５の発明のブラシレスモータにおいて、導電性摺動部がシール板の少なくとも一部分に設けられた複数の導電性細線材からなるブラシレスモータである。
【００２６】
また、第７の発明は、第６の発明のブラシレスモータにおいて、
導電性細線材の一方端がシール板に接続され、この導電性細線材の他端が内輪又は外輪に接触する構成を具備するブラシレスモータである。
【００２７】
また、第８の発明は、第６の発明のブラシレスモータにおいて、導電性細線材の一方端がシール板に接続され、この導電性細線材の他端が内輪及び外輪に接触する構成を具備するブラシレスモータである。
【００２８】
また、第９の発明は、第２〜第８の発明のブラシレスモータにおいて、固定子鉄心とブラケットとを電気的に導通させる構成を有するブラシレスモータである。
【００２９】
また、第１０の発明は、第２〜第８の発明のブラシレスモータにおいて、回転子の外周面と出力軸との間に誘電体層を有するブラシレスモータ。
【００３０】
また、第１１の発明は、ブラシレスモータの出力軸支承部において、
このブラシレスモータの出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有するブラシレスモータの出力軸支承部である。
【００３１】
また、第１２の発明は、電動機の出力軸支承部において、この電動機の出力軸を支承する出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、前記シール板の少なくとも一部分に導電性摺動部を有する電動機の出力軸支承部である。
【００３２】
また、第１３の発明は、ブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、このブラシレスモータを通電し、駆動させたときに、前記内輪と前記外輪との間に電位差が生じるブラシレスモータであり、この電位差を短絡させる導電性摺動部を前記シール板の少なくとも一部分に有するブラシレスモータである。
【００３３】
また、第１４の発明は、制御回路部を具備するブラシレスモータにおいて、樹脂にて絶縁された固定子鉄心に巻線を巻装した固定子巻装体と、この固定子巻装体を絶縁樹脂にて成型しかつ前記固定子鉄心の一部を露出させた固定子成型体と、前記固定子のティース部と相対して配置される回転子と、この回転子の軸通孔に軸着させた出力軸と、前記回転子を間に配置して前記出力軸を支承する一対の出力軸支承部と、前記固定子成型体の前記固定子の露出部の内側底部に設けられ前記出力軸支承部の片方を収納する出力軸支承部の収納部と、前記出力軸支承部のもう片方を収納しかつ前記固定子成型体の開口部に配置されるブラケットとを具備するブラシレスモータであり、前記出力軸支承部が、内輪と、この内輪の外周部に配置される転動体と、この転動体を前記内輪と狭持する外輪と、前記転動体の側部を覆い前記内輪及び前記外輪に接して配置されるシール板とを備え、このブラシレスモータを通電し、駆動させたときに、前記内輪と前記外輪との間に電位差が生じるブラシレスモータであり、この電位差を短絡する導電性摺動部を前記シール板の少なくとも一部分に有するブラシレスモータである。
【００３４】
また、第１５の発明は、第２〜第１０、第１３、第１４の発明のブラシレスモータにおいて、固定子鉄心とブラケットとを電気的に導通させる構成を有するブラシレスモータである。
【００３５】
また、第１６の発明は、第２〜第１０、第１３、第１４の発明のブラシレスモータにおいて、ＰＷＭインバータ駆動方式にて駆動させる構成のブラシレスモータ。
【００３６】
また、第１７の発明は、第２〜第１０、第１３、第１４の発明のブラシレスモータを搭載する電気機器である。
【００３７】
以上の構造とすることで、図４における出力軸とブラケット間が同電位となるため、出力軸支承部にかかる電圧を大幅に低減することができ電食の発生を抑制することができる。
【発明の効果】
【００３８】
以上のように、本発明によれば、出力軸とブラケット間が同電位となるため、出力軸支承部にかかる電圧を大幅に低減することができ電食の発生を抑制することができる。つまり、出力軸支承部の内輪と外輪との間を、シール板及び導電性摺動部により電気的に短絡させることで、出力軸とブラケット間が同電位となり、出力軸支承部の転動体に電食が生じるような電位の印加を従来よりも低減できる。
【００３９】
また、固定子とブラケットとを電気的に短絡させる構成や、回転子の外周面と出力軸との間に誘電体層を有するブラシレスモータの構成では、出力軸支承部の内輪と外輪との間の電位差が従来よりも低減されていることから、出力軸支承部の導電性摺動部の摺動面の電位差に起因する磨耗や劣化も少なくなることから、より好ましい効果が得られる。
【００４０】
そして、セラミックボールの出力軸支承部を使用するといった対策をすることなく比較的簡単で安価に対策が可能となり、低価格の電食対策を施したブラシレスモータを提供することができる。このように、産業的品質向上効果は大なるものである。
【図面の簡単な説明】
【００４１】
【図１】（ａ）本発明の実施の形態１におけるブラシレスモータの構造断面図、（ｂ）本発明の出力軸支承部の構造断面図
【図２】図１に示す鉄心接続端子及びブラケット接続端子周辺部の構造断面拡大図
【図３】従来のブラシレスモータの構造断面図
【図４】ブラシレスモータの浮遊容量略分布のモデル図
【図５】本発明の実施の形態２における鉄心接続端子側面図
【図６】本発明の実施の形態２におけるブラケット接続端子側面図
【図７】本発明の実施の形態３におけるモールド前の固定子側面図（固定子鉄心と鉄心接続端子溶接前の拡大図）
【図８】本発明の実施の形態３におけるモールド前の固定子側面図（固定子鉄心と鉄心接続端子溶接後の拡大図）
【図９】本発明の実施の形態４におけるブラケット接続端子挿入前の構造断面図の拡大図
【図１０】本発明の実施の形態４におけるブラケット挿入前の構造断面図の拡大図
【図１１】本発明の実施の形態５における図９に示すブラケット接続端子挿入前の固定子完成の正面図（鉄心接続端子部の拡大図）
【図１２】本発明の実施の形態５における図１０に示すブラケット挿入前の固定子完成の正面図（ブラケット接続端子挿入部の拡大図）
【図１３】本発明の実施の形態６におけるブラシレスモータの構造断面図
【図１４】図１３に示す鉄心接続端子及びブラケット接続端子周辺部の構造断面拡大図
【図１５】本発明の実施の形態７における電気機器（エアコン室内機）の構造図
【図１６】本発明の実施の形態８における電気機器（エアコン室外機）の構造図
【図１７】本発明の実施の形態９における電気機器（給湯機）の構造図
【図１８】本発明の実施の形態１０における電気機器（空気清浄機）の構造図
【発明を実施するための形態】
【００４２】
以下、本発明の実施の形態について図面を用いて詳細に説明する。
【００４３】
（実施の形態１）
図１は本発明の実施の形態１におけるモータの構造断面図であり、図２は図１に示す鉄心接続端子及びブラケット接続端子周辺部の構造断面拡大図である。
【００４４】
図１（ａ）に示すモータ８０は、エアコン室内機用ファンモータ（以下、室内機用モータという）である。図１において、本実施の形態のモータ８０は、固定子鉄心１１と、その固定子鉄心１１に巻装した固定子巻線１２とを絶縁樹脂１３にてモールド一体成形してなる固定子７０と、シャフト１６を備えた回転子１４と、シャフト１６を支承するための第１の出力軸支承部１５１及び第２の出力軸支承部１５２、固定子７０に結合されるとともに、第１の出力軸支承部１５１又は第２の出力軸支承部１５２の少なくともどちらか一方を保持するブラケット１７と、固定子鉄心１１とブラケット１７とを短絡する鉄心導通端子１９とブラケット導通端子２０を含む。
【００４５】
さらに、図１及び図２を用いてモータ８０の構成を詳細に説明する。固定子鉄心１１にインシュレータ２１が挿入され、その後固定子巻線１２が巻装されており、更に鉄心接続端子１９はインシュレータ２１に固定したのち固定子鉄心１１の外周部と接触又は溶接する。
【００４６】
なお、固定子鉄心１１と鉄心接続端子１９との接触又は溶接は固定子巻線を施す前でも問題はない。この工程により、固定子鉄心１１と鉄心接続端子１９との導通が可能となり、更に絶縁樹脂１３にてモールド一体成型され固定子７０を形成しているが、モールド後の鉄心接続端子１９先端（ブラケット接続端子２０との勘合部）は露出される構造である。
【００４７】
さらに、固定子７０の少なくとも１箇所にブラケット接続端子２０を支持できる溝を設けて、位置決めされた鉄心接続端子１９にブラケット接続端子２０を挿入し、はんだ又は溶接固定をすることで、固定子鉄心１１とブラケット接続端子２０が導通可能となる。
【００４８】
その後、モータ８０を駆動させるための駆動回路が実装されたプリント配線板１８を付加してモールド完成体が構成されており、最終的にブラケット１７は固定子７０に圧入固定されるが、この時ブラケット接続端子２０はモールド完成品端面より突き出た構成とし、ブラケット１７を圧入されると同時にブラケット接続端子２０を変形させてブラケット１７と固定される構造である。結果、固定子鉄心１１は鉄心接続端子１９とブラケット接続端子２０を介してとブラケット１７とが短絡される構造となる。
【００４９】
なお、樹脂部材２１には熱可塑性樹脂（ＰＥＴやＰＢＴ等）が使用されており、絶縁樹脂１３は、熱硬化性樹脂である不飽和ポリエステル樹脂を使用している。
【００５０】
一方、回転子１４には、シャフト１６が圧入固定されている。さらに、そのシャフト１６には、そのシャフト１６を回転自在に支承する２つの出力軸支承部、すなわち、第１の出力軸支承部１５１及び第２の出力軸支承部１５２が取り付けられている。
【００５１】
固定子７０にプリント配線板１８を付加したモールド完成体、すなわち、固定子７０に対して、シャフト１６に第１の出力軸支承部１５１及び第２の出力軸支承部１５２が保持された回転子１４が、空隙を介して組み込まれることにより、モータ８０が構成される。第１の出力軸支承部１５１は固定子７０に形成されたハウジング３０に保持され、第２の出力軸支承部１５２はブラケット１７に保持される。
【００５２】
図１（ｂ）は、出力軸支承部１５１の構成を示している。内輪１５１ａと、この内輪１５１ａの外周部に配置される転動体１５１ｂと、この転動体１５１ｂを内輪１５１ａと狭持する外輪１５１ｃと、転動体１５１ｂの側部を覆い内輪１５１ａ及び外輪１５１ｂに接して配置されるシール板１５１ｄとを備え、シール板１５１ｄの少なくとも一部分に導電性摺動部１５１ｅを有する構成である。導電性摺動部はシール板１５１ｄの少なくとも一部分に設けられた複数の導電性細線材１５１ｅからなるものである。導電性細線材の一方端はシール板１５１ｄに接続され、この導電性細線材１５１ｅの他端が内輪１５１ａ又は外輪１５１ｃに接触する構成である。
【００５３】
なお、図１（ｂ）の構成では、導電性細線材１５１ｅが内輪１５１ａ及び外輪１５１ｃに各々接触する構成であるが、内輪１５１ａ又は外輪１５１ｃに接触する構成としてもよい。また、内輪１５１ａと外輪１５１ｃとの間の電位関係を、考慮して導電性細線材１５１ｅが内輪１５１ａ又は外輪１５１ｃのいずれかに接触する構成としてもよい。シール板１５１ｄは、略円環状の形状であり、内周部端部は、Ｌ字状の屈曲部が設けられ内輪１５１ａとの対向面が形成され、この対向面に導電性細線材１５１ｅが植毛されている。また、シール板１５１ｄの外周側端部にもＬ字状の屈曲部が設け、外輪１５１ｃとの対向面を形成し、この対向面に導電性細線材１５１ｅを植毛してもよい。導電性細線材１５１ｅの植毛箇所は、内周部端部・外周部端部の全体でも良く、又は部分的に植毛してもよい。導電性細線材１５１ｅの先端と内輪１５１ａ及び外輪１５１ｃとの接触面には、無数の摺動箇所が構成されるため、安定的な電気的接続状態が構成されている。
【００５４】
そして、導電性細線材１５１ｅの先端部分を等価的な針状電極、内輪１５１ａ又は外輪１５１ｃの導電性細線材１５１ｅが接する面を等価的な略平面電極とし、この針状電極及び略平面電極のいずれかを、負電位側又は正電位側と電位関係を特定した場合に、この電位関係に起因した導電性摺動部の寿命時間・磨耗の程度・劣化具合に程度などに差異がある場合には、より良好な構成の方を選択することが可能な構成である。
【００５５】
シール板１５１ｄと導電性細線材１５１ｅとの接続は、導電性接着剤などで行われる。例えば、シール板１５１ｄの導電性細線材１５１ｅを植毛したい箇所に、導電性接着剤などを塗布し、静電植毛等の工程を経て、シール板１５１ｄと導電性細線材１５１ｅとの接続が行われる。
【００５６】
また、導電性細線材と内輪１５１ａ又は／及び外輪１５１ｃとの摺動性・導通性を高めるために、導電性細線材と内輪１５１ａ又は／及び外輪１５１ｃとの間の部分に導電性グリスなどを塗布してもよい。
【００５７】
そして、導電性細線材１５１ｅは、導電繊維、導電性繊維、半導電性繊維、金属繊維、有機化合物系導通繊維、ポリエステル導電繊維、鉄系ファイバーなどを適宜用いる。
【００５８】
この構成により、鉄心接続端子１９とブラケット接続端子２０を介して固定子鉄心１１とブラケット１７との間が短絡されて同電位となるため、２つの出力軸支承部１５１、１５２にかかる電圧を大幅に低減できている。そして、さらに、出力軸支承部の内輪と外輪との間を、シール板及び導電性摺動部により電気的に短絡させることで、出力軸とブラケット間が同電位となり、出力軸支承部の転動体に電食が生じるような電位の印加を従来よりも低減でき、その結果、電食の発生を抑制することができる。したがって、セラミックボールの出力軸支承部を使用するといった対策が必要なく、比較的簡単で安価に電食対策を施したモータを提供することができる。また、出力軸支承部の内輪と外輪との間の電位差が従来よりも低減されていることから、出力軸支承部の導電性摺動部の摺動面の電位差に起因する磨耗や劣化も少なくなることから、より好ましい効果が得られる。
【００５９】
また、回転子の外周面と出力軸との間に誘電体層（図示なし）を有するブラシレスモータの構成を付加した場合では、出力軸支承部の内輪と外輪との間の電位差が従来よりも低減されていることから、出力軸支承部の導電性摺動部の摺動面の電位差に起因する磨耗や劣化も少なくなることから、より好ましい効果が得られる。
【００６０】
また、軸電圧・軸電流が、比較的小さな値の場合には、鉄心接続端子１９を除いた構成でも、本発明の効果を十分に発揮できることは言うまでもない。同様に、回転子の外周面と出力軸との間に配置する誘電体層を除いた構成でも、本発明の効果を十分に発揮できることは言うまでもない。
【００６１】
なお、本実施の形態においては、図２に示すように、プリント配線板１８側に配設されたブラケット１７と固定子鉄心１１とを短絡した場合に効果が大となる。
【００６２】
（実施の形態２）
図５は本発明の実施の形態２における鉄心接続端子１９の側面図であり、図６はブラケット接続端子２０の側面図である。図５において鉄心接続端子１９は、寸法Ｋの距離分を曲げた形状である。これは、図２による固定子鉄心１１との接触を確実にするため一例である。また、図６においてブラケット接続端子２０は、鉄心接続端子１９との固定接続を考慮して、鉄心接続部品挿入穴２３を設けた構造である。
【００６３】
また、これらの部品はバネ製のある素材（例えば、燐青銅）や溶接、はんだ可能なメッキを施した黄銅等が望ましい。
【００６４】
この２つの接続部品を設けることで、固定子鉄心１１とブラケット１７を確実に位置決め及び短絡が可能となる。
【００６５】
なお、出力軸支承部の構成は、実施の形態１と同じ構成である。
【００６６】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００６７】
（実施の形態３）
図７及び図８は本発明の実施の形態３における本発明の実施の形態３におけるモールド前の固定子側面図（固定子鉄心と鉄心接続端子溶接前の拡大図）とモールド前の固定子側面図（固定子鉄心と鉄心接続端子溶接後の拡大図）である。
【００６８】
図５に示した鉄心接続端子１９をインシュレータ２２に圧入固定することで、鉄心接続端子１９が位置決めされ、固定子鉄心１１との接触が可能である。更に図８に示す通り、固定子鉄心１１と鉄心接続端子１９とをスポット溶接等で溶接部２４を設ける構造である。
このことで、固定子鉄心１１と鉄心接続端子１９とが確実に短絡させる構造が可能である。
【００６９】
なお、出力軸支承部の構成は、実施の形態１と同じ構成である。
【００７０】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００７１】
（実施の形態４）
図９及び図１０は本発明の実施の形態４におけるブラケット接続端子２０挿入前の構造断面図の拡大図とブラケット１７挿入前の構造断面図の拡大図である。
【００７２】
図９において、モールド完成品の外周部に少なくとも１箇所の切り欠きを設けられており、その場所にブラケット接続端子２０が収納可能としている。更に、ブラケット接続端子２０が指定箇所に挿入されはんだ２４固定された後、ブラケット１７の内径側と外径側の両方で圧入固定される。このブラケット１７圧入する際、ブラケット接続端子２０は寸法Ｌの距離はモールド完成品端面より、突き出た構成とし、ブラケット１７を圧入させる時に前記寸法Ｌの距離を変形させブラケット底部と確実に接触させる構造としている。最終、固定子鉄心１１は２種類の端子（鉄心接続端子１９、ブラケット接続端子２０）を経由してブラケット１７とを確実に短絡させる構造が可能である。
【００７３】
さらに、図１０の構成において、ブラケット１７の寸法Ｍよりブラケット接続端子２０の寸法Ｎが長い構造にすることで、ブラケット１７が挿入された後（モータ組立後）でもブラケット接続端子２０が見える構造であるため、ブラケット１７とブラケット接続端子１７（最終的には固定子鉄心１１）との導通（短絡）確認が可能である。
なお導通の確認方法としては導通チェック装置、例えばテスターやマルチメータ、アース導通試験装置などにて確認が可能である。
【００７４】
なお、出力軸支承部の構成は、実施の形態１と同じ構成である。
【００７５】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００７６】
（実施の形態５）
図１１は本発明の実施の形態５における図９に示すブラケット接続端子２０挿入前の固定子完成の正面図（鉄心接続端子部１９の拡大図）、図１２は図１０に示すブラケット挿入前の固定子完成の正面図（ブラケット接続端子２０挿入部の拡大図）である。図１１において、絶縁樹脂１３の一部に切り掛けを設けて、その場所にブラケット接続端子２０を挿入し、鉄心接続端子部１９との位置決めを実施する構造としている。
【００７７】
また、図１２において、ブラケット接続端子２０がはんだ固定または溶接固定され、更にブラケット１７を圧入される際、はんだ固定または溶接固定部に応力が掛からないよう、ブラケット接続端子２０の側面部とブラケット１７側面両側（ブラケットの内側と外側：ハッチング部）が接触しない構造としている。
【００７８】
なお、出力軸支承部の構成は、実施の形態１と同じ構成である。
【００７９】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００８０】
（実施の形態６）
図１３は本発明の実施の形態６におけるブラシレスモータの構造断面図であり、図１４は図１３に示す鉄心接続端子１９及びブラケット接続端子２０周辺部の構造断面拡大図であり、主に空調用に室外で使用するファンモータ（以下、「室外用モータ」という）での実施の形態を示している。  室内用モータとの違いは、鉄心接続端子１９及びブラケット接続端子２０が図中の下方（リード線側）に位置している点と、ブラケット１７の反対側の出力軸支承部がブラケットＡ２５にて保持されていることである。
【００８１】
室外用モータでは、その使用環境によっては風雨に晒されることがあり、導通ピン周辺部の隙間からのモータ内への水の浸入が懸念される。これに対する対策のひとつとして、モータ取り付け時に鉄心接続端子１９及びブラケット接続端子２０を下側になるようにを位置することにより、直接的に風雨に晒されることがなくなりモータ内への水の浸入を防止することができる。
【００８２】
また、電食はプリント基板１８に近いほうの出力軸支承部で発生している例が多いことが広く知られているが、先に述べた理由によりブラケットＡ２５ではなくブラケット１７からブラケット接続端子２０、鉄心接続端子１９を経由して固定子鉄心１１と短絡した方が出力軸支承部にかかる電圧の低減効果が大きいため、室外用モータにおいてもそのように実施している。
【００８３】
なお、出力軸支承部の構成は、実施の形態１と同じ構成である。
【００８４】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００８５】
（実施の形態７）
本発明にかかる電気機器の例として、まず、エアコン室内機の構成を実施の形態７として、詳細に説明する。
【００８６】
図１５において、エアコン室内機２１０の筐体２１１内にはブラシレスモータ２０１が搭載されている。そのブラシレスモータ２０１の回転軸にはクロスフローファン２１２が取り付けられている。ブラシレスモータ２０１はモータ駆動装置２１３によって駆動される。モータ駆動装置２１３からの通電により、ブラシレスモータ２０１が回転し、それに伴いクロスフローファン２１２が回転する。そのクロスフローファン２１２の回転により、室内機用熱交換器（図示せず）によって空気調和された空気を室内に送風する。ここで、ブラシレスモータ２０１は、例えば、上記実施の形態１から実施の形態６のものが適用できる。
【００８７】
本発明の電気機器は、ブラシレスモータと、そのブラシレスモータが搭載された筐体とを備え、ブラシレスモータとして上記構成の本発明のモータを採用したものである。
【００８８】
なお、出力軸支承部の構成は、実施の形態１と同じ構成である。
【００８９】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００９０】
（実施の形態８）
次に、本発明にかかる電気機器の例として、エアコン室外機の構成を実施の形態８として、詳細に説明する。
【００９１】
図１６において、エアコン室外機３０１は、筐体３１１の内部にブラシレスモータ３０８を搭載している。そのブラシレスモータ３０８は回転軸にファン３１２を取り付けており、送風用ファンモータとして働く。
【００９２】
エアコン室外機３０１は、筐体３１１の底板３０２に立設した仕切り板３０４により、圧縮機室３０６と熱交換器室３０９とに区画されている。圧縮機室３０６には圧縮機３０５が配設されている。熱交換器室３０９には熱交換器３０７及び前記送風用ファンモータが配設されている。仕切り板３０４の上部には電装品箱３１０が配設されている。
【００９３】
その前記送風用ファンモータは、電装品箱３１０内に収容されたモータ駆動装置３０３により駆動されるブラシレスモータ３０８の回転に伴い、送風ファン３１２が回転し、熱交換器３０７を通して熱交換器室３０９に送風する。ここで、ブラシレスモータ３０８は、例えば、上記実施の形態１から実施の形態６のものが適用できる。
【００９４】
本発明の電気機器は、ブラシレスモータと、そのブラシレスモータが搭載された筐体とを備え、ブラシレスモータとして上記構成の本発明のブラシレスモータを採用したものである。
【００９５】
なお、出力軸支承部の構成は、実施の形態１と同じ構成である。
【００９６】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【００９７】
（実施の形態９）
次に、本発明にかかる電気機器の例として、給湯機の構成を実施の形態９として、詳細に説明する。
【００９８】
図１７において、給湯器３３０の筐体３３１内にはブラシレスモータ３３３が搭載されている。そのブラシレスモータ３３３の回転軸にはファン３３２が取り付けられている。
【００９９】
ブラシレスモータ３３３はモータ駆動装置３３４によって駆動される。モータ駆動装置３３４からの通電により、ブラシレスモータ３３３が回転し、それに伴いファン３３２が回転する。そのファン３３２の回転により、燃料気化室（図示せず）に対して燃焼に必要な空気を送風する。ここで、ブラシレスモータ３３３は、例えば、上記実施の形態１から実施の形態６のものが適用できる。
【０１００】
本発明の電気機器は、ブラシレスモータと、そのブラシレスモータが搭載された筐体とを備え、ブラシレスモータとして上記構成の本発明のモータを採用したものである。
【０１０１】
なお、出力軸支承部の構成は、実施の形態１と同じ構成である。
【０１０２】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【０１０３】
（実施の形態１０）
次に、本発明にかかる電気機器の例として、空気清浄機の構成を実施の形態１０として、詳細に説明する。
【０１０４】
図１８において、空気清浄機３４０の筐体３４１内にはブラシレスモータ３４３が搭載されている。そのブラシレスモータ３４３の回転軸には空気循環用ファン３４２が取り付けられている。ブラシレスモータ３４３はモータ駆動装置３４４によって駆動される。モータ駆動装置３４４からの通電により、ブラシレスモータ３４３が回転し、それに伴いファン３４２が回転する。そのファン３４２の回転により空気を循環する。
【０１０５】
ここで、ブラシレスモータ３４３は、例えば、上記実施の形態１から実施の形態６のものが適用できる。
【０１０６】
なお、出力軸支承部の構成は、実施の形態１と同じ構成である。
【０１０７】
また、軸電圧・軸電流が、比較的小さな値の場合には、実施の形態１と同様に、鉄心接続端子や、回転子の誘電体層を省いた構成でも本発明の効果を十分に発揮できることは言うまでもない。
【０１０８】
本発明の電気機器は、ブラシレスモータと、そのブラシレスモータが搭載された筐体とを備え、ブラシレスモータとして上記構成の本発明のモータを採用したものである。
上述の説明では、本発明にかかる電気機器の実施の形態として、エアコン室外機、エアコン室内機、給湯機、空気清浄機などに搭載されるファンモータを取り上げたが、その他のモータにも、また、各種情報機器に搭載されるブラシレスモータや、産業機器に使用されるブラシレスモータにも適用できることは言うまでもない。
【産業上の利用可能性】
【０１０９】
本発明にかかるブラシレスモータは、絶縁樹脂にてモールドされたブラシレスモータの固定子において、固定子鉄心とブラケットを鉄心接続端子とブラケット接続端子を介して短絡させる構造にすることで出力軸支承部にかかる電圧を減少させることが可能であり、出力軸支承部の電食および波状磨耗現象を防止することを目的とする。
【０１１０】
主に電動機の低価格で高寿命が要望される機器で、例えばエアコン室内機、エアコン室外機、給湯機、空気清浄機などに搭載されるファンモータ等の電動機のブラシレスモータに有効である。
【符号の説明】
【０１１１】
１１  固定子鉄心
１２  固定子巻線
１３  絶縁樹脂
１４  回転子
１５、１５１、１５２  出力軸支承部
１６  シャフト
１７  ブラケット
１８  プリント基板
１９  鉄心接続端子
２０  ブラケット接続端子
２１  インシュレータ
２２  はんだ
２３  鉄心接続部品挿入穴
２４  溶接部
２５  ブラケットＡ
３０  ハウジング
７０  固定子
８０  モータ
１５１ａ  内輪
１５１ｂ  転動体
１５１ｃ  外輪
１５１ｄ  シール板
１５１ｅ  導電性細線材（導電性摺動層）
２０１  ブラシレスモータ
２１０  エアコン室内機
２１１  筐体
２１２  クロスフローファン
２１３  モータ駆動装置
３０１  エアコン室外機
３０２  底板
３０３  モータ駆動装置
３０４  仕切り板
３０５  圧縮機
３０６  圧縮機室
３０７  熱交換器
３０８  ブラシレスモータ
３０９  熱交換器室
３１０  電装品箱
３１１  筐体
３１２  ファン
３３０  給湯器
３３１  筐体
３３２  ファン
３３３  ブラシレスモータ
３３４  モータ駆動装置
３４０  空気清浄機
３４１  筐体
３４２  ファン
３４３  ブラシレスモータ
３４４  モータ駆動装置
【図１】
2010035407.tif 000003
【図２】
2010035407.tif 000004
【図３】
2010035407.tif 000005
【図４】
2010035407.tif 000006
【図５】
2010035407.tif 000007
【図６】
2010035407.tif 000008
【図７】
2010035407.tif 000009
【図８】
2010035407.tif 000010
【図９】
2010035407.tif 000011
【図１０】
2010035407.tif 000012
【図１１】
2010035407.tif 000013
【図１２】
2010035407.tif 000014
【図１３】
2010035407.tif 000015
【図１４】
2010035407.tif 000016
【図１５】
2010035407.tif 000017
【図１６】
2010035407.tif 000018
【図１７】
2010035407.tif 000019
【図１８】
2010035407.tif 000020